(57)【要約】【課題】本発明は、安定的な開閉を可能にする弾性部材、及びこれを備えるスライド携帯電話機を提供することを目的とする。【解決手段】本発明に係るスライド式携帯電話機は、ガイド板と、前記ガイド板にスライド可能に装着されるスライド板と、前記ガイド板と前記スライド板との間に設置される弾性部材と、を備えている。本発明に係る弾性部材は、第一取付け部と、第二取付け部と、前記第一取付け部及び前記第二取付け部を連結する、第一湾曲部及び第二湾曲部と、を備える。【選択図】図２
2010098727.tif 000002
【特許請求の範囲】
【請求項１】
ガイド板と、前記ガイド板にスライド可能に装着されるスライド板と、前記ガイド板と前記スライド板との間に設置される弾性部材と、を備えてなるスライド式携帯電話機であって、
前記弾性部材は、第一取付け部、第二取付け部、第一湾曲部、及び第二湾曲部を備え、前記第一取付け部及び前記第二取付け部は、前記第一湾曲部及び第二湾曲部によって連結され、前記第一取付け部は前記ガイド板に結合され、前記第二取付け部は前記スライド板に結合され、前記スライド板が前記ガイド板に対してスライドするとき、前記第一取付け部及び前記第二取付け部が弾性変形することを特徴とするスライド式携帯電話機。
【請求項２】
前記スライド式携帯電話機は、結合ピン及び位置決めピンをさらに備え、前記弾性部材の第一取付け部は前記結合ピンによって前記ガイド板に結合され、前記弾性部材の第二取付け部は前記位置決めピンによって前記スライド板に結合されることを特徴とする請求項５に記載のスライド式携帯電話機。
【請求項３】
二つの自由端を有する第一取付け部と、
前記第一取り付け部に対向する第二取付け部と、
前記第一取付け部及び前記第二取付け部を連結する、第一湾曲部及び第二湾曲部と、
を備えていることを特徴とする弾性部材。
【請求項４】
前記第一湾曲部及び第二湾曲部は、細長い金属材を湾曲して形成されていることを特徴とする、請求項１に記載の弾性部材。
【請求項５】
前記第二取付け部は、前記第一取り付け部に向かって凹設して形成されることを特徴とする、請求項２に記載の弾性部材。
【請求項６】
前記第一湾曲部及び前記第二湾曲部には、少なくとも１つの他の金属材が設置されていることを特徴とする、請求項３に記載の弾性部材。
【発明の詳細な説明】
【技術分野】
【０００１】
本発明は、弾性部材、及びこれを備えるスライド式携帯電話機に関するものである。
【背景技術】
【０００２】
近年の電子通信技術の発展に伴って、携帯電話は日常生活で広く使用されようになった。スライド式携帯電話は、本体と、蓋体と、前記本体と前記蓋体とを相対的にスライドさせるスライド部と、を備えている。前記スライド式携帯電話を使用しないとき、前記蓋体は、前記本体に設置されている押しボタン部を覆っており、それによって不注意による誤操作を防止している。前記スライド式携帯電話を使用するとき、前記蓋体を開放して押しボタン部を露出させることによって、前記スライド式携帯電話に対して操作を進行できる。従って、スライド式携帯電話は、消費者から高評価を受けている。
【０００３】
従来のスライド式携帯電話のスライド部においては、一般的にトーションスプリングを用いることによって、前記スライド式携帯電話を開閉していた。しかし、前記スライド式携帯電話の開閉過程において、前記トーションスプリングの局部が過度な変形を生じる場合があり、従って前記蓋体を前記本体に対して安定して開閉できなくなる。
【発明の概要】
【発明が解決しようとする課題】
【０００４】
以上の問題点に鑑みて、本発明は、安定的な開閉を可能にする弾性部材、及びこれを備えるスライド式携帯電話機を提供することを目的とする。
【課題を解決するための手段】
【０００５】
前記問題を解決するために、本発明に係る弾性部材は、第一取付け部と、第二取付け部と、前記第一取付け部及び前記第二取付け部を連結する第一湾曲部及び第二湾曲部と、を備えている。
【０００６】
また、本発明に係るスライド式携帯電話機は、ガイド板と、前記ガイド板にスライド可能に装着されるスライド板と、前記ガイド板と前記スライド板との間に設置される弾性部材と、を備えている。前記弾性部材は、第一取付け部、第二取付け部、第一湾曲部、及び第二湾曲部を備えている。前記第一取付け部及び前記第二取付け部は、前記第一湾曲部及び第二湾曲部によって連結されている。前記第一取付け部は前記ガイド板に結合され、前記第二取付け部は前記スライド板に結合されている。前記スライド板が前記ガイド板に対してスライドする場合、前記第一取付け部及び前記第二取付け部が弾性変形する。
【発明の効果】
【０００７】
本発明に係る弾性部材は、第一取付け部と第二取付け部とを連結する第一湾曲部及び第二湾曲部を備えているため、その使用強度を高めることができ、且つ前記弾性部材を備えるスライド式携帯電話機は安定してスライドすることができる。
【図面の簡単な説明】
【０００８】
【図１】本発明の第一実施例に係るスライド部を備える、スライド式携帯電話の分解図である。
【図２】図１の弾性部材、結合ピン、及び位置決めピンの拡大図である。
【図３】本発明に係るスライド部の第一状態を示す図である。
【図４】本発明に係るスライド部の第二状態を示す図である。
【図５】本発明の第二実施例に係るスライド式携帯電話機の、弾性部材の拡大図である。
【図６】本発明の第三実施例に係るスライド式携帯電話機の、弾性部材の拡大図である。
【発明を実施するための形態】
【０００９】
以下、図面に基づいて、本発明の実施例に係る弾性部材、及びこれを備えるスライド式携帯電話機を詳細に説明する。
【００１０】
本発明のスライド部はスライド式携帯電話に用いられる。
【００１１】
図１に示したように、スライド式携帯電話１００は、第一ハウジング１０１、前記第一ハウジングと係合する第二ハウジング１０３、前記第一ハウジング１０１と前記第二ハウジング１０３との間に取付けられるスライド部１０５を備えている。前記第一ハウジング１０１と前記第二ハウジング１０３とは、前記スライド部１０５によって相対的にスライドする。前記第二ハウジング１０３には、４つの固定ピン１０３１が設置されている。
【００１２】
前記スライド部１０５は、ガイド板２１と、スライド板２３と、弾性部材２５と、結合ピン２７１と、位置決めピン２７３と、を備えている。前記弾性部材２５は、前記ガイド板２１とスライド板２３との間に取付けられている。前記弾性部材２５は、前記結合ピン２７１及び前記位置決めピン２７３を介して、一端が前記ガイド板２１に結合され、他端が前記スライド板２３に結合されている。
【００１３】
前記ガイド板２１は、本体部２１１と、前記本体部２１１の両側に突設されているガイド部２１３と、を備えている。前記本体部２１１の四隅には、前記ガイド板２１を前記第二ハウジング１０３に取付ける時に、それぞれ前記第二ハウジング１０３の固定ピン１０３１と係合する４つの固定孔２１１１が形成されている。前記ガイド板２１の１つの固定孔２１１１の近傍にガイドピン２１１３が形成され、前記ガイドピン２１１３の対角位置に結合孔２１１５が形成されている。各々のガイド部２１３と前記本体部２１１との間にガイド溝２１３１が形成されている。
【００１４】
前記スライド板２３は、略矩形の板体であり、その両側部が前記ガイド板２１のガイド溝２１３１にスライド可能に収容される。前記スライド板２３の四隅には、前記スライド板２３を前記第一ハウジング１０１に固定するための４つの連接孔２３１が形成されている。前記スライド板２３の一側には、前記ガイドピン２１１３の直径に相当する幅を有する、細長のガイド孔２３３が形成されている。前記ガイドピン２１３３と前記ガイド孔２３３とが係合することによって、前記スライド板２３のスライド方向を制限し、且つ前記スライド板２３のスライド行程を制限する。前記スライド板２３のガイド孔２３３の一側方向に位置決め孔２３５が形成されている。
【００１５】
図２を参照すると、前記弾性部材２５は、細長い金属材を湾曲してリング状に形成されており、その断面は略円形である。前記弾性部材２５は、第一取付け部２５１と、第二取付け部２５３と、前記第一取付け部２５１及び前記第二取付け部２５３を連接する第一湾曲部２５５及び第二湾曲部２５７と、を備えている。前記第一取付け部２５１は前記金属材の２つの自由端である。前記第二取付け部２５３は、前記第一取付け部２５１に向かって凹設して形成された部分である。前記第一湾曲部２５５及び前記第二湾曲部２５７は相反する方向へ湾曲された弧状部分である。
【００１６】
前記結合ピン２７１は、第一端部２７１２及び第二端部２７１６を備えている。前記第一端部２７１２は前記第二端部２７１６より小さい。前記結合ピン２７１の第一端部２７１２は、前記ガイド板２１の結合孔２１１５を貫いて前記ガイド板２１から突出される。前記結合ピン２７１の第一端部２７１２には、前記弾性部材２５の第一取付け部２５１を係合するための２つの係合孔２７１１が形成されている。前記弾性部材２５の第一取付け部２５１は、前記結合ピン２７１によって前記ガイド板２１に連結される。
【００１７】
前記位置決めピン２７３は、段差を有する円柱であって、前記スライド板２３の位置決め孔２３５に回転可能に取り付けられる。前記弾性部材２５の第二取付け部２５３は、前記位置決めピン２７３を囲むことにより前記スライド板２３に連結される。
【００１８】
また、前記結合ピン２７１は前記ガイド板２１と一体成型されることができ、前記位置決めピン２７３は前記スライド板２３と一体成型されることができる。
【００１９】
ここで、図３を参照する。前記スライド式携帯電話１００を組立てる場合、先ず、前記結合ピン２７１を前記ガイド板２１の結合孔２１１５の下側から貫通させて、前記結合ピン２７１の第一端部２７１２だけが前記ガイド板２１の結合孔２１１５から突出させる。次に、前記ガイド板２１の４つの固定孔２１１１と前記第二ハウジング１０３の４つの固定ピン１０３１とを、それぞれ、係合させて、前記ガイド板２１を前記第二ハウジング１０３に装着する。次に、前記弾性部材２５の第一取付け部２５１を前記結合ピン２７１の第一端部２７１２の係合孔２７１１に挿入して、前記弾性部材２５の第一取付け部２５１を前記結合ピン２７１に連結させる。次に、前記スライド板２３の両側部を前記ガイド板２１のガイド溝２１３１にスライド可能に挿入すると共に、前記ガイド板２１のガイドピン２１１３を前記スライド板２３のガイド孔２３３内にスライド可能に配置さ、前記位置決めピン２７３を前記スライド板２３の位置決め孔２３５貫通させ、前記位置決めピン２７３の突出される部分と前記弾性部材２５の第二取付け部２５３とを係合させる。最後に、前記スライド板２３の連接孔２３１によって前記スライド板２３を前記第一ハウジング１０１に連結する。
【００２０】
前記スライド式携帯電話１００の閉塞状態、又は開放状態において、前記弾性部材２５は自然状態（無負荷状態）である。
【００２１】
ここで、図４を参照する。前記スライド式携帯電話１００の第一ハウジング１０１をスライドさせると、前記スライド板２３は前記第一ハウジング１０１に連動されて前記ガイド板２１のガイド溝２１３１に沿ってスライドし、且つ前記ガイド板２１のガイドピン２１１３と前記スライド板２３のガイド孔２３３との係合によって、前記スライド板２３は安定的にスライドすることができる。前記弾性部材２５の第一取付け部２５１及び第二取付け部２５３が、それぞれ、前記ガイド板２１及び前記スライド板２３に連結されているので、前記スライド板２３が前記ガイド板２１に対してスライドにする場合、前記第一取付け部２５１と前記第二取付け部２５３との間の距離が短くなり、前記弾性部材２５が弾性変形して付勢力を蓄積する。前記第一取付け部２５１と前記第二取付け部２５３との間の距離が最も短くなってからも、前記第一ハウジング１０１を継続してスライドさせると、前記第一ハウジング１０１は前記弾性部材２５の付勢力によって前方へ自動的にスライドして、前記スライド式携帯電話１００は開放状態になる。前記スライド式携帯電話１００を閉じる原理も同じなので、詳しい説明は省略する。
【００２２】
前記弾性部材２５は、第一湾曲部２５５及び第二湾曲部２５７を備えているので、前記スライド部１０５の作動過程で安定して変形し、疲労強度が向上され、使用寿命が延長される。
【００２３】
前記弾性部材２５の断面形状は、円形に制限されず、矩形又は楕円形のような他の形状でもよい。
【００２４】
前記弾性部材２５の第一取付け部２５１は、細長い金属材の２つの端末部分を一体に加工したものでもよい。これに応じて、前記結合ピン２７１に１つの係合孔２７１１を設置することができる。
【００２５】
図５は、本発明の第二実施例に係るスライド式携帯電話機における弾性部材２５ａの拡大図である。前記弾性部材２５ａは、第一取付け部２５１と、第二取り付け部２５３と、第一湾曲部２５５ａと、第二湾曲部２５７ａと、を備えている。第一実施例の弾性部材２５に比べて、前記弾性部材２５ａは、２本の細長い金属材を湾曲して形成され、且つ前記第一取付け部２５１及び前記第二取付け部２５３において２本の細長い金属材が一体になっている。
【００２６】
図６は、本発明の第三実施例に係るスライド式携帯電話機における弾性部材２５ｂの拡大図である。前記弾性部材２５ｂは、第一取付け部２５１と、第二取り付け部２５３と、第一湾曲部２５５ｂと、第二湾曲部２５７ｂと、を備えている。第一実施例の弾性部材２５に比べて、前記弾性部材２５ｂの第一湾曲部２５５ｂ及び前記第二湾曲部２５７ｂの内側に１つの細長い金属材がそれぞれ溶接されている。
【００２７】
前記弾性部材２５ａ及び前記弾性部材２５ｂにおいて、湾曲部に他の金属材を設置することにより、前記弾性部材２５ａ及び前記弾性部材２５ｂの変形過程における安定性を高めることができる。
【００２８】
前記弾性部材２５ａ及び前記弾性部材２５ｂの湾曲部は、１つ又は複数の他の金属材から形成され得る。
【００２９】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００３０】
１００  スライド式携帯電話
１０１  第一ハウジング
１０３  第二ハウジング
１０３１  固定ピン
１０５  スライド部
２１  ガイド板
２１１  本体部
２１１１  固定孔
２１１３  ガイドピン
２１１５  結合孔
２１３  ガイド部
２１３１  ガイド溝
２３  スライド板
２３１  連接孔
２３３  ガイド孔
２３５  位置決め孔
２５、２５ａ、２５ｂ  弾性部材
２５１  第一取付け部
２５３  第二取付け部
２５５、２５５ａ、２５５ｂ  第一湾曲部
２５７、２５７ｂ、２５７ｂ  第二湾曲部
２７１  結合ピン
２７１１  係合孔
２７１２  第一端部
２７１６  第二端部
２７３  位置決めピン
【図１】
2010098727.tif 000003
【図２】
2010098727.tif 000004
【図３】
2010098727.tif 000005
【図４】
2010098727.tif 000006
【図５】
2010098727.tif 000007
【図６】
2010098727.tif 000008